(57)【要約】車両の通信デバイスを通じた自動音声認識の手段による情報記憶を提供する方法は、外部ソースと車両のユーザとの間に音声通話を確立させることと、外部ソースから情報を受信することと、車両の自動音声認識ユニットを用いて、受信した情報を処理することと、将来の読出または使用のために、認識した発話を文字形式で記憶することとを含む。
2009530666.tif 000002
【特許請求の範囲】
【請求項１】
通信デバイスを通じた監視および再生のために自動音声認識（ＡＳＲ）法を提供する方法であって、
外部ソースとＡＳＲユニットのユーザとの間に音声通話を確立させることと、
所定のイベントの発生時にＡＳＲユニットを作動させることと、
ＡＳＲユニットを用いる音声通話中、外部ソースからの音声ストリームの少なくとも一部を処理することと、
ＡＳＲユニットのユーザに対する再生のために、ＡＳＲユニットによって処理された外部ソースからの音声ストリームの前記少なくとも一部を選択的に記憶することと、
からなる方法。
【請求項２】
所定のイベントは音声通話を確立させることである請求項１に記載の方法。
【請求項３】
所定のイベントは、外部ソースまたはＡＳＲユニットのユーザによって発話された所定のキーワードをＡＳＲユニットが認識することである請求項１に記載の方法。
【請求項４】
所定のイベントは、ＡＳＲユニットのユーザがＡＳＲユニットの作動のための機械的なスイッチを作動させることである請求項１に記載の方法。
【請求項５】
外部ソースまたはＡＳＲユニットのユーザによって発話された所定のキーワードをＡＳＲユニットが認識したとき、ＡＳＲユニットを作動停止させることを含む請求項１に記載の方法。
【請求項６】
ＡＳＲユニットのユーザがＡＳＲユニットの作動停止のための機械的なスイッチを作動させたとき、ＡＳＲユニットを作動停止させることを含む請求項１に記載の方法。
【請求項７】
音声通話中、外部ソースからの音声ストリームの少なくとも一部を上書きすることを含む請求項１に記載の方法。
【請求項８】
音声通話中、外部ソースからの音声ストリームの少なくとも一部を上書きすることは、ＡＳＲユニットのユーザが外部ソースと同じ単語を用いて外部ソースからの音声ストリームの少なくとも一部を復唱することを含む請求項７に記載の方法。
【請求項９】
音声通話中、外部ソースからの音声ストリームの少なくとも一部を上書きすることは、ＡＳＲユニットのユーザが外部ソースと異なる単語を用いて外部ソースからの音声ストリームの少なくとも一部を復唱することを含む請求項７に記載の方法。
【請求項１０】
外部ソースからの音声ストリームの少なくとも一部を選択的に記憶することは、音声通話中の選択された会話時点における音声ストリームの部分を記憶することを含む請求項１に記載の方法。
【請求項１１】
音声通話中の外部ソースからの音声ストリームのうちの選択的に記憶された部分は、目的地までの道順、音声メッセージ、場所の住所、電話番号、氏名または注記のうちの１つ以上を含む請求項１に記載の方法。
【請求項１２】
外部ソースからの音声ストリームの少なくとも一部を選択的に記憶することは、音声ストリームの一部を文字形式で記憶することを含む請求項１に記載の方法。
【請求項１３】
通信デバイスを通じた監視および再生のために自動音声認識（ＡＳＲ）法を提供する方法であって、
外部ソースとＡＳＲユニットのユーザとの間に音声通話を確立させることと、
外部ソースから場所情報を受信することと、
ＡＳＲユニットを用いて、外部ソースから受信した場所情報を処理することと、
場所情報を文字表現に変換することと、
ＡＳＲユニットのユーザに文字表現を提供することと、
からなる方法。
【請求項１４】
ＡＳＲユニットのユーザに文字表現を提供することは、ディスプレイウィンドウまたはスクリーンを備えたナビゲーションシステムに記憶された地図の対応する部分の上に場所情報を表示することを含む請求項１３に記載の方法。
【請求項１５】
場所情報を表示することは、ナビゲーションシステムがＡＳＲユニットのユーザの現在の場所と場所情報により参照される場所とを接続する地図経路を表示することを含む請求項１４に記載の方法。
【請求項１６】
通信デバイスを通じた監視および再生のための自動音声認識（ＡＳＲ）ユニットであって、
音声対話ユニットと、
音声対話ユニットに結合されたプロセッサと、
プロセッサに結合されたメモリとを備え、
ＡＳＲユニットのユーザと外部ソースとの間の音声通話が確立されると、プロセッサは所定のイベントの発生時にＡＳＲユニットを作動させ、外部ソースからの音声ストリームの少なくとも一部を処理し、ＡＳＲユニットのユーザに対する再生のために、処理された外部ソースからの音声ストリームの少なくとも一部をメモリへ選択的に記憶する自動音声認識（ＡＳＲ）ユニット。
【請求項１７】
ＡＳＲユニットは通信デバイスに結合されている請求項１６に記載のＡＳＲユニット。
【請求項１８】
ＡＳＲユニットは通信デバイスに統合されている請求項１６に記載のＡＳＲユニット。
【請求項１９】
プロセッサに結合された、文字から音声への変換ユニットをさらに備え、ＡＳＲユニットのユーザに対する再生は文字から音声への変換ユニットを介する道順を含む請求項１６に記載のＡＳＲユニット。
【請求項２０】
プロセッサに結合されたディスプレイをさらに備え、ＡＳＲのユーザに対する再生はディスプレイを介する道順を含む請求項１６に記載のＡＳＲユニット。
【発明の詳細な説明】
【技術分野】
【０００１】
本発明は、通信デバイスに関する。より詳細には、本発明は外部ユーザに自動音声認識、口述、録音および再生を提供する方法に関する。
【背景技術】
【０００２】
自動音声認識（ＡＳＲ）では、通常、１組の文法または規則が用いられ、この文法または規則によって、音声制御されるユーザインタフェース内の任意の点におけるユーザの選択の範囲が制御される。ＡＳＲシステムは音声対話を利用するので、ユーザは人類に知られている最古のインタフェース、すなわち、音声を通じて、それらの音声対話とやりとりする。ユーザは、音声コマンドを通じて、システムにアクションを取らせることが可能である。したがって、ＡＳＲシステムを用いて、口述を行うこと、すなわち、発話したコマンドを用いてコンピュータ・デバイスを制御することが可能である。
【０００３】
音声ベースの技術の進歩によって、費用効率的に音声を認識および合成する性能を有するコンピュータが提供されている。これに加えて、無線通信は携帯電話機の数が地上電話機の数を越えるまでになり、インターネットはビジネスにおける一般的な通信機構となっている。これらの技術の合流によって、情報交換の興味深い機会が予示される。
【０００４】
情報交換は高度に移動性の活動である。この移動性の要件によって、生産性の改良、費用の削減および情報交換処理全体の改良が可能な情報の送受信をユーザが行う能力は制限される。ユーザが自身の有線環境を越えてしまうと、情報資源へのアクセスを得る選択肢は減少する。
【０００５】
通信システムは、拡大および新たなサービスの追加を続けているので、通信デバイスのユーザに有用な情報を提供することが可能である。ＡＳＲシステムは、目が離せない／手が離せない状況にあることに気付いた通信デバイスのユーザに、自動通信サービスが情報を提供するために利用可能な、効率的なツールである。
【発明の開示】
【発明が解決しようとする課題】
【０００６】
本質的には、ＡＳＲはほとんど任意の音声起動アプリケーションに適用可能である。しかしながら、ＡＳＲは、自動車においてなど、広範な環境に応じる柔軟性および性能を有する必要がある。
【０００７】
自動車の運転中、オペレータ、運転者またはユーザは、外部、すなわち遠方の無線発呼者からの特定の情報を捜す場合がある。車両のユーザは、通常、手が離せない、目が離せないまたはその両方の状況にある。それらの状況では、通信デバイスは外部発呼者から受信した情報を記憶したり書き出したりする柔軟性をユーザに提供することができない。
【０００８】
したがって、上述の問題および従来経験されている他の問題に対処する必要が存在する。
【課題を解決するための手段】
【０００９】
車両の通信デバイスを通じたＡＳＲシステムの手段による音声サンプルの複写を生成する方法は、外部ソースと車両のユーザとの間に音声通話を確立させることと、外部ソースから情報を受信することと、車両においてＡＳＲユニットを用い、外部ソースまたは車両のユーザのいずれかから受信した音声サンプルを解釈することとを含む。
【００１０】
車両の通信デバイスを通じた音声の録音および再生機構を提供する別の方法は、外部ソースとユーザとの間に音声通信を確立させることと、外部ソースから情報を受信することと、ＡＳＲユニットを用いて、受信した情報を解釈することと、ＡＳＲユニットの出力から文字複写を生成することと、ナビゲーションシステムに文字表現を提供すること、またはこの文字表現を文字から音声への変換（ＴＴＳ）システムへ入力し、認識された発話のユーザに音声フィードバックを提供することとを含む。
【発明を実施するための最良の形態】
【００１１】
ここで、本発明の実施形態を詳細に示す図面を参照する。
まず図１を参照する。図１には、通信システム１００のシステムレベル図を示す。続く図を参照して詳細に説明されるように、通信システム１００の数々の要素は本出願に開示の方法を用いることができる。代表的な一実施形態では、通信システム１００は、好適には、通信デバイス１０２を含む。通信デバイス１０２は、通信ネットワーク１０４と通信リンク１０６を介して通信を行うように適合されている。通信デバイス１０２は、セルラー電話機、ページャ、無線音声性能を有する携帯情報端末（ＰＤＡ）など、無線通信デバイスであってもよく、有線ネットワークに接続された従来の電話機またはコンピュータなど、従来の有線デバイスであってもよい。同様に、通信ネットワーク１０４は、地上線通信ネットワークまたは無線通信ネットワークなど任意の種類の通信ネットワークであってよい。両通信ネットワークは、当技術においてよく知られている。通信リンク１０８によって、通信ネットワーク１０４と無線キャリア１１０との間の通信が可能となる。通信リンク１０８は、任意の従来の地上線または無線の通信ネットワークにおいて用いられる、任意の種類のシグナリングプロトコルなど、音声信号を処理するための任意の種類の通信リンクであってよい。
【００１２】
通信リンク１１２によって、車両１１６の無線通信デバイスまたはシステム１１４に対する通信が可能となる。無線通信システム１１４は、例えば、車両１１６に設置されたテレマティクス通信ユニットであってよい。大抵の現在のテレマティクス通信ユニットは、テレマティクスサービスプロバイダにアクセスを行うために車両内に組み込まれた無線通信デバイスを含む。例えば、従来のテレマティクス通信ユニットは、車両と別の通信デバイスまたはその車両に対するテレマティクスサービスに関連したコールセンターとの間の通信を可能とするために、セルラー電話機トランシーバを備える。車両１１６は、無線通信システム１１４に結合された送受話器を有してもよく、車両１１６内にハンズフリー機能を備えてもよく、その両方であってもよい。これに代えて、ユーザによって操作される携帯電話機がテレマティクス通信ユニットの無線通信システム１１４に物理的にまたは無線によって結合されて、携帯電話機と車両１１６の無線通信デバイス１１４との間の同期を可能としてもよい。説明を簡単にするため、以下の説明および例では無線通信システム１１４がテレマティクス通信ユニットであると仮定するが、しかしながら、本発明の精神および範囲はそれに限定されない。
【００１３】
ここで、図２を参照する。図２には、本発明による車両１１６に設置可能なテレマティクス通信ユニット１１４のブロック図を示す。テレマティクス通信ユニット１１４は、車両１１６の様々な構成要素と通信を行うための様々な入力／出力（Ｉ／Ｏ）ポートを有するコントローラ２０４を備える。例えば、コントローラ２０４は、車両バス２０６、ＡＳＲユニット２０８、電源２１０、およびマン−マシン・インタフェース（ＭＭＩ）２１２に結合されている。マン−マシン・インタフェース（ＭＭＩ）２１２は、テレマティクス通信ユニット１１４とのユーザ対話を可能とする。車両バス２０６への接続によって、ドアを解錠すること、クラクションを鳴らすこと、ライトを点灯させること、などの操作が可能となる。コントローラ２０４は、ランダムアクセスメモリ（ＲＡＭ）２１８またはフラッシュメモリ２２０など様々なメモリ素子に結合されてよい。また、コントローラ２０４は、当技術において知られているように、ナビゲーションシステム２２２（車両の場所を提供する全地球測位システム（ＧＰＳ）ユニット２２２を含む）、車両１１６の進路を決定する際に有用な情報を提供するナビゲーションユニットまたはその両方を備えてもよい。この車両搭載型ナビゲーションシステム２２２は、目的地または方向の入力を処理し、発声される指示を用いて地点毎のＧＰＳ案内を提示するために、ＡＳＲユニット２０８に結合されてもよく、ＡＳＲユニット２０８と組み合わせられてもよい。
【００１４】
また、コントローラ２０４は、音声Ｉ／Ｏ２２４にも結合されることが可能である。音声Ｉ／Ｏ２２４は、好適には、ネットワークアクセスデバイス２３２または無線通信デバイス２３０を介する（無線ローカルエリアネットワーク（ＷＬＡＮ）ノード２２６を介する）車両１１６のユーザの音声通信用のハンズフリーシステムを含む。音声Ｉ／Ｏ２２４は、車両スピーカーシステム（図示せず）と統合されてもよい。したがって、コントローラ２０４は、ネットワークアクセスデバイス２３２からの音声通信を音声Ｉ／Ｏ２２４に結合する。同様に、コントローラ２０４は、無線通信デバイス２３０からの音声を（通信リンク２３１およびＷＬＡＮノード２２６を介して）音声Ｉ／Ｏ２２４に結合する。これに代えて、有線のハンドセット（図示せず）がネットワークアクセスデバイス２３２に結合されてもよい。
【００１５】
また、テレマティクス通信ユニット１１４は、ＷＬＡＮノード２２６も含んでよい。ＷＬＡＮノード２２６もコントローラ２０４に結合されており、無線通信デバイス２３０などＷＬＡＮ機能を有するデバイスと、コントローラ２０４との間の通信を可能とする。一実施形態では、無線通信デバイス２３０は、テレマティクス通信ユニット１１４の無線通信機能を提供することによって、ネットワークアクセスデバイス２３２の必要を除いてもよい。換言すると、携帯セルラー電話機２３０を用いてテレマティクス通信ユニット１１４に無線通信デバイス２３０の機能を提供することによって、車両においてネットワークアクセスデバイス２３２など別個のセルラー送受信機の必要を除くことにより、テレマティクス通信ユニット１１４の費用が削減される。ＷＬＡＮ機能を有するデバイス（例えば、無線通信デバイス２３０）は、Ｂｌｕｅｔｏｏｔｈ（登録商標）、ＩＥＥＥ８０２．１１、赤外線通信（ＩｒＤＡ）または他のＷＬＡＮアプリケーションなど任意のＷＬＡＮプロトコルによって、ＷＬＡＮ機能を有するコントローラ２０４と通信を行ってよい。ＷＬＡＮノード２２６を無線ローカルエリアネットワークとして記載しているが、そのような通信インタフェースは無線オーディオリンクなど任意の短距離無線であってもよい。内蔵のＢｌｕｅｔｏｏｔｈ（登録商標）性能をＡＳＲユニット２０８と共に用いて、個人の携帯電話機のデータにアクセスを行い、ユーザがハンズフリーで発話により電話をかけることを可能としてもよい。
【００１６】
ここで図３を参照する。図３には、一例のＡＳＲユニット２０８のブロック図を示す。一実施形態では、音声対話ユニット３０１、マイクロプロセッサ３０２およびＴＴＳユニット３０３は、ユーザからの発話入力を収集し、解析し、記憶されている文字から音声発話を生成するように結合されている。マイクロプロセッサ３０２はメモリ３０４を用いる。メモリ３０４は、ランダムアクセスメモリ（ＲＡＭ）３０５、リードオンリメモリ（ＲＯＭ）３０５および電気的に消去可能なプログラマブルＲＯＭ（ＥＥＰＲＯＭ）３０６のうちの１つ以上を含む。マイクロプロセッサ３０２およびメモリ３０４は、ディスプレイ３０９に対する書込や、発話情報およびキーパッド３１０からの要求の受信など、ＡＳＲユニット２０８に対する機能を実行するために、１つのパッケージ３０８に統合されてよい。音声対話ユニット３０１は、音声回路３１１によって変換される、マイクロホンユニット３１２からスピーカユニット３１３への音声を処理してもよい。スピーカユニット３１３、マイクロホンユニット３１２またはその両方は、音声Ｉ／Ｏユニット２２４に結合されてよい。これに代えて、スピーカユニット３１３、マイクロホンユニット３１２またはその両方は、音声Ｉ／Ｏユニット２２４と統合されてもよい。
【００１７】
ＡＳＲユニット２０８（音声ベースのインタフェース）は、音声対話ユニット３０１（音声認識サブユニット）、ＴＴＳユニット３０３およびキーパッド３１０から構成されてもよい。上述のように、音声対話ユニット３０１は発話を認識することが可能であり、コントローラ２０４は、文字を押すことによって生成されるものなど、キーパッド３１０上でキー入力された情報を認識することが可能である。ＡＳＲユニット２０８は、ユーザによって起動された場合、通話中の任意の時点における外部発呼者またはユーザのいずれかによる様々なキーワード、フレーズまたは他の発話を認識するために、話し合いまたは通話を監視してもよい。それらのキーワードまたはフレーズは、起動のトリガとして作用してもよく、ＡＳＲユニット２０８によって識別されると、受け取った所定のトリガに基づき、ＡＳＲユニット２０８に所定の動作を行わせる。ユーザの発話によるステートメントには、特に、「復唱（ｒｅｐｅａｔ）」「ＯＫ」、「次」、「記録」、「停止」、「消去」、「巻戻し」、「再生」などの単語およびフレーズが含まれる。ＡＳＲユニット２０８は、通話中の全時点において、または選択した会話の時点においてのみ、外部発呼者とユーザとの間の会話を処理するように作動されてよい。ＡＳＲユニット２０８は、所定のキーワードまたはフレーズによって作動されてもよく、機械的なスイッチの操作によって作動されてもよい。ＡＳＲユニット２０８によって処理された音声データは、認識された発話がディスプレイ３０９上で視覚的にまたは音声フィードバックを通じて確認されたら、「記録」または「再生」などの動作を生じてもよく、選択的に記憶されてもよい。
【００１８】
ＡＳＲユニット２０８は長々しいＡＳＲプロトコルを必要とすることはなく、ユーザもしくは外部発呼者のアクセントまたは方言に影響を受けずに音声発話に応答することができる。さらに、ＡＳＲの誤りは、発話された単語またはフレーズを単純に復唱することによって訂正されてもよい。ＡＳＲユニット２０８は、環境、道路、車両のうちの１つ以上の騒音に対し耐性を有してもよい。
【００１９】
ここで図４を参照する。図４には、音声通話中のＡＳＲシステムの使用によって得られる監視機能を提供する方法のフローチャートを示す。この方法は、テレマティクス通信ユニット１１４を介して実装されてよい。一例の実施形態では、工程４０２にて、テレマティクス通信ユニット１１４は、ユーザまたは外部発呼者のいずれかが音声通話を開始するとき、ＡＳＲユニット２０８を作動させるようにさせられる。これに代えて、ＡＳＲユニット２０８は、上述のように、ＡＳＲユニット２０８を利用して所定のキーワードに対するトリガを作動させる機械的なスイッチまたは会話監視ユニット（図示せず）のいずれかによって作動されてもよい。ＡＳＲユニット２０８を介して口頭での会話を監視すること以外に、テレマティクス通信ユニット１１４が近端のユーザによってキー入力される情報などの情報の入力を監視してもよい。
【００２０】
工程４０４にて、ユーザは、住所、目的地または経路もしくは行程の運転方向に関する情報を要求する。車両のユーザは、通常、手が離せない、目が離せないまたはその両方の状況にあるので、人またはネットワークベースのナビゲーションもしくは情報読出システムなどの外部ソースが、要求された経路情報を記述または詳述するように求められてもよい。そのため、工程４０６にて、要求された情報は、発話された目的地住所、目的地までの道順、または目的地の緯度および経度の座標を用いて、外部ソースによってＡＳＲユニット２０８へと送られる。外部ソースによって発話されるステートメントには、「回転」、「右」、「左」、「北」、「南」、「停止」、「捜す」、「通り」、「番号」、「建物」など、経路の個々の部分または区切りを決定する単語およびフレーズが含まれてよい。
【００２１】
工程４０８にて、ユーザは、発話された情報をＡＳＲユニット２０８が正確に認識したか否かを検査する。これは、ＡＳＲによって認識された文字の視覚的フィードバックを提供することによって、あるいはＴＴＳユニット３０３によって生成されるように、認識された区分の音声再生を行うことによって行われてよい。工程４１０にて、発話された単語またはフレーズの復唱を外部ソースに求めることによって、誤りが訂正または改定されてよい。これに代えて、ユーザは、工程４１４にて、外部ソースによる発話を自身の言葉で復唱することによって、提供された情報を言い換えて、ユーザが後の読出のために記憶させることを望む入力された情報を明確にしてもよい。ユーザは、単純化の目的で、提供された情報を言い換えてもよい。満たされると、工程４１６にて、ユーザはＡＳＲユニット２０８によって生成された情報を完成させ、将来の再生のために情報を文字情報により選択的に記憶させる。これに代えて、ユーザはナビゲーションシステム２２２へ文字の経路情報を入力してもよい。ナビゲーションシステム２２２は、そのようにさせられるとき、受信した目的地情報の文字表現に応答する地図を表示してもよい。
【００２２】
ここで、図５を参照する。図５には、テレマティクス通信ユニットに記憶された方向情報を再生するための一例の方法を示す。一実施形態では、工程５０２にて、ユーザは、記憶された目的地情報の再生のため、テレマティクス通信ユニット１１４を起動する。次いで、工程５０４にて、ユーザは機械的なスイッチまたは音声コマンドを通じて、ＡＳＲユニット２０８に所定の記憶された経路情報を読み出させる。読み出された文字部分はＴＴＳユニットを通じて処理されてもよく、ＴＴＳユニットは車両のオーディオスピーカを通じてユーザに情報を与える。道順の再生は、経路または行程の各区切りが発生した時点でその区切りを与えることによって実行されてよい。発声された経路、曲がり角、すなわち、経路の区切りに到達した後、工程５１２にて、ユーザは、適切なキーワードを発話することによって、ＡＳＲユニット２０８に経路の次の区切りに移らせる。ＡＳＲユニット２０８は、特に、など「左」、「右」、「休止」などのキーワードまたはフレーズを認識することによって、経路の個々の区切りのソートを行ってもよい。これに代えて、ＡＳＲユニット２０８が全経路を復唱させられてもよく、既に与えられた経路のみを復唱させられてもよい。ＡＳＲユニット２０８およびナビゲーションシステム２２２を介する、視覚的および音声的なプロンプトによって、出発地点から目的地点までユーザが簡単に誘導または経路案内されることができる。さらに、ナビゲーションシステム２２２における様々な設定によって、ユーザが最適な経路を生成することが可能であってもよい。
【００２３】
また、コントローラ２０４およびＡＳＲユニット２０８を介して、テレマティクス通信ユニット１１４が指揮管理機能を提供してもよい。また、ユーザは、氏名との関連付けによって電話番号を記憶し、電話をかけること含む電話機能にアクセスを行い、動作させてもよく、内蔵のメモおよび複写機能によって注記を作成してもよい。同様の音声監視を用いて、外部ソースによって提供される連絡先リストへ氏名および電話番号を記憶してもよい。外部ソースからの音声ストリームは、「氏名を記憶」または「番号を記憶」などのキーワードが認識されると、ＡＳＲユニット２０８によって処理される。誤りが発生した場合には、上述のように、ユーザが情報を訂正することを可能とするように音声フィードバックが提供される。
【００２４】
音声で作動されるユーザインタフェースを通じて外部のユーザまたは情報源からの音声データを受信し、受信した情報を処理し、将来の情報読出のために記憶させるためのＡＳＲおよびＴＴＳ技術を適用する提案の方法によって、デバイス（音声レコーダ、ラップトップ、ＰＤＡまたはペンおよび紙など）と直接的に対話を行う必要なく重要な情報に容易にアクセスを行うことがユーザに対し提供される。提案の方法によって、外部の発呼者または情報源は音声によってデータまたは情報を直接的に入力し、さらに提供される情報を確認することができるので、手動で目的地の住所を入力する必要が除かれ、間違った目的地住所を入力する可能性を減少させる。
【図面の簡単な説明】
【００２５】
【図１】通信システムのブロック図。
【図２】車両用のテレマティクス通信ユニットのブロック図。
【図３】車両用のＡＳＲユニットのブロック図。
【図４】車両のＡＳＲユニットにおいて外部発呼者によって述べられた情報を記録する方法を示すフローチャート。
【図５】車両のＡＳＲユニットにおいて記憶された情報を再生する方法を示すフローチャート。
【図１】
2009530666.tif 000003
【図２】
2009530666.tif 000004
【図３】
2009530666.tif 000005
【図４】
2009530666.tif 000006
【図５】
2009530666.tif 000007
【手続補正書】
【提出日】平成20年9月26日(2008.9.26)
【手続補正１】
【補正対象書類名】特許請求の範囲
【補正対象項目名】全文
【補正方法】変更
【補正の内容】
【特許請求の範囲】
【請求項１】
通信デバイスを通じた監視および再生のために自動音声認識（ＡＳＲ）法を提供する方法であって、
外部ソースとＡＳＲユニットのユーザとの間に音声通話を確立させることと、
所定のイベントの発生時にＡＳＲユニットを作動させることと、
ＡＳＲユニットを用いる音声通話中、外部ソースからの音声ストリームの少なくとも一部を処理することと、
ＡＳＲユニットのユーザに対する再生のために、ＡＳＲユニットによって処理された外部ソースからの音声ストリームの前記少なくとも一部を選択的に記憶することと、
からなる方法。
【請求項２】
所定のイベントは、音声通話を確立させることと、外部ソースまたはＡＳＲユニットのユーザによって発話された所定のキーワードをＡＳＲユニットが認識することと、ＡＳＲユニットのユーザがＡＳＲユニットの作動のための機械的なスイッチを作動させることと、のうちのいずれかである請求項１に記載の方法。
【請求項３】
外部ソースまたはＡＳＲユニットのユーザによって発話された所定のキーワードをＡＳＲユニットが認識したとき、ＡＳＲユニットを作動停止させることと、
ＡＳＲユニットのユーザがＡＳＲユニットの作動停止のための機械的なスイッチを作動させたとき、ＡＳＲユニットを作動停止させることと、のうちのいずれかを含む請求項１に記載の方法。
【請求項４】
音声通話中、外部ソースからの音声ストリームの少なくとも一部を上書きすることを含む請求項１に記載の方法。
【請求項５】
音声通話中、外部ソースからの音声ストリームの少なくとも一部を上書きすることは、ＡＳＲユニットのユーザが外部ソースと同じ単語を用いて外部ソースからの音声ストリームの少なくとも一部を復唱することと、
ＡＳＲユニットのユーザが外部ソースと異なる単語を用いて外部ソースからの音声ストリームの少なくとも一部を復唱することと、のうちのいずれかを含む請求項４に記載の方法。
【請求項６】
外部ソースからの音声ストリームの少なくとも一部を選択的に記憶することは、
音声通話中の選択された会話時点における音声ストリームの部分を記憶することと、
音声ストリームの一部を文字形式で記憶することと、
目的地までの道順、音声メッセージ、場所の住所、電話番号、氏名または注記のうちの１つ以上を記憶することと、のうちのいずれかを含む請求項１に記載の方法。
【請求項７】
通信デバイスを通じた監視および再生のために自動音声認識（ＡＳＲ）法を提供する方法であって、
外部ソースとＡＳＲユニットのユーザとの間に音声通話を確立させることと、
外部ソースから場所情報を受信することと、
ＡＳＲユニットを用いて、外部ソースから受信した場所情報を処理することと、
場所情報を文字表現に変換することと、
ＡＳＲユニットのユーザに文字表現を提供することと、
からなる方法。
【請求項８】
ＡＳＲユニットのユーザに文字表現を提供することは、ディスプレイウィンドウまたはスクリーンを備えたナビゲーションシステムに記憶された地図の対応する部分の上に場所情報を表示することを含む請求項７に記載の方法。
【請求項９】
場所情報を表示することは、ナビゲーションシステムがＡＳＲユニットのユーザの現在の場所と場所情報により参照される場所とを接続する地図経路を表示することを含む請求項８に記載の方法。
【請求項１０】
通信デバイスを通じた監視および再生のための自動音声認識（ＡＳＲ）ユニットであって、
音声対話ユニットと、
音声対話ユニットに結合されたプロセッサと、
プロセッサに結合されたメモリとを備え、
ＡＳＲユニットのユーザと外部ソースとの間の音声通話が確立されると、プロセッサは所定のイベントの発生時にＡＳＲユニットを作動させ、外部ソースからの音声ストリームの少なくとも一部を処理し、ＡＳＲユニットのユーザに対する再生のために、処理された外部ソースからの音声ストリームの少なくとも一部をメモリへ選択的に記憶する自動音声認識（ＡＳＲ）ユニット。
【請求項１１】
ＡＳＲユニットは、通信デバイスに結合されているか、通信デバイスに統合されているかのいずれかである請求項１０に記載のＡＳＲユニット。
【請求項１２】
プロセッサに結合された、文字から音声への変換ユニットをさらに備え、ＡＳＲユニットのユーザに対する再生は文字から音声への変換ユニットを介する道順を含む請求項１０に記載のＡＳＲユニット。
【請求項１３】
プロセッサに結合されたディスプレイをさらに備え、ＡＳＲのユーザに対する再生はディスプレイを介する道順を含む請求項１０に記載のＡＳＲユニット。
【国際調査報告】
2009530666.tif 000008